(57)【要約】【課題】プリント注文の際の枚数指定の煩雑さを軽減する。【解決手段】撮像画像とともに各撮影画像ごとの情報を記録媒体に記録するデジタルカメラにおいて、前記記録媒体に格納された各撮影画像をそれぞれ分析して撮影画像から顔領域を抽出し、抽出した顔領域の数をカウントして人数情報を生成する顔抽出処理部１１４と、人数情報を撮影画像ごとの情報として前記記録媒体に保持させる記録部１１１とを備える。【選択図】　図１
2004145563.tif 000002
【特許請求の範囲】
【請求項１】
画像情報を分析して画像領域から顔領域を抽出するステップと、抽出した顔領域の数をカウントして画像ごとの人数情報を生成するステップと、前記人数情報を画像ごとの情報として保持するステップとを含む画像処理方法。
【請求項２】
保持された画像ごとの人数情報に基づいて画像ごとの出力枚数を設定するステップを含む請求項１記載の画像処理方法。
【請求項３】
保持された画像ごとの人数情報に基づいて複数の画像の分類を行うステップを含む請求項１記載の画像処理方法。
を含む画像処理方法。
【請求項４】
撮像画像とともに各撮影画像ごとの情報を記録媒体に記録するデジタルカメラにおいて、
前記記録媒体に格納された各撮影画像をそれぞれ分析して撮影画像から顔領域を抽出する手段と、抽出した顔領域の数をカウントして人数情報を生成する手段と、前記人数情報を前記撮影画像ごとの情報として前記記録媒体に保持させる手段とを備えるデジタルカメラ。
【請求項５】
保持された撮影画像ごとの人数情報に基づいて前記記録媒体に格納された撮影画像ごとの出力枚数を設定する手段を備える請求項４記載のデジタルカメラ。
【請求項６】
保持された撮影画像ごとの人数情報に基づいて前記記録媒体に格納された撮影画像の分類を行う手段を備える請求項４記載のデジタルカメラ。
【請求項７】
画像データを分析して画像領域から顔領域を抽出する手段、
抽出した顔領域の数をカウントして画像ごとの人数情報を生成する手段、
前記人数情報を画像ごとの情報として保持する手段、保持された画像ごとの人数情報に基づいて画像ごとの出力枚数を設定する手段としてコンピュータを機能させる画像処理プログラム。
【請求項８】
画像データを分析して画像領域から顔領域を抽出する手段、
抽出した顔領域の数をカウントして画像ごとの人数情報を生成する手段、
前記人数情報を画像ごとの情報として保持する手段、保持された撮影画像ごとの人数情報に基づいて複数の画像の分類を行う手段としてコンピュータを機能させる画像処理プログラム。
【発明の詳細な説明】
【０００１】
【発明の属する技術分野】
本発明は、顔抽出技術を利用してプリント注文時の枚数設定を簡易化する画像処理方法及びデジタルカメラに関する。
【０００２】
【従来の技術】
近年、デジタルカメラで撮影した画像データを、インターネットなどの通信手段で送信したり、またはメモリカードなどの記録媒体に記録して持ち込んだりして、市中の現像所で高品質なプリントを行う需要が増加している。そのような状況に対応して、プリントの依頼を容易にするための統一フォーマットなどが提案されている。例えば、ＤＰＯＦ（Ｄｉｇｉｔａｌ　Ｐｒｉｎｔ　Ｏｒｄｅｒ　Ｆｏｒｍａｔ）では、記録媒体に記録された画像の中で、どのカットを何枚プリントするかが規定されている。ＤＰＯＦに対応するデジタルカメラで撮影を行うと、必要なカットや必要枚数などの情報を画像データとともに記録できるため、例えば撮影後に記録媒体を直接現像所に持ち込むだけでプリントの依頼が容易に行える。
【０００３】
ところで、一般にプリント枚数は、撮影された画像の中に含まれる被写体の人数と連動していることが多い。例えば、４人が写った写真は４人に配布するために４枚プリントすることが多い。
【０００４】
【発明が解決しようとする課題】
しかし、上記のような記録媒体のフォーマットを利用する場合、撮影枚数はデフォルト値（例えば１枚）にセットされているため、撮影後に操作者が記録媒体にプリント枚数を手動で設定しなければならず、この作業が煩雑であるという問題があった。具体的には、画像を個別に確認して撮影された画像の中に含まれる被写体の人数を確認する作業が必要であり、さらに、この確認が複数の縮小（サムネイル）画像を一括表示したマルチ画面では行い難いため（特に撮影された被写体の大きさが小さい場合）、１枚１枚拡大表示して人数確認を行う作業が必要であった。
【０００５】
本発明は上記事情に鑑みてなされたもので、プリント注文の際の枚数指定の煩雑さを軽減することができる画像処理方法及びデジタルカメラを提供することを目的とする。
【０００６】
【課題を解決するための手段】
上記課題を解決するため、本発明の請求項１に記載の画像処理方法は、画像情報を分析して画像領域から顔領域を抽出するステップと、抽出した顔領域の数をカウントして画像ごとの人数情報を生成するステップと、前記人数情報を画像ごとの情報として保持するステップとを含む。
【０００７】
請求項４に記載のデジタルカメラは、撮像画像とともに各撮影画像ごとの情報を記録媒体に記録するデジタルカメラにおいて、前記記録媒体に格納された各撮影画像をそれぞれ分析して撮影画像から顔領域を抽出する手段（顔抽出処理部１１４）と、抽出した顔領域の数をカウントして人数情報を生成する手段（顔抽出処理部１１４）と、前記人数情報を前記撮影画像ごとの情報として前記記録媒体に保持させる手段（記録部１１１）とを備える。
【０００８】
請求項１及び４に係る発明によれば、画像から抽出した顔領域の数を人数情報として保持しているので、この人数情報をプリント注文の際の枚数情報として反映させることによりプリント注文の際の枚数指定の煩雑さを軽減することができる。
【０００９】
【発明の実施の形態】
以下、本発明の実施の形態を図面を参照して説明する。
図１は本発明の一実施形態のデジタルカメラの構成を示すブロック図であり、主として、レンズ１０１、ＣＣＤ１０２、アナログ信号処理部１０３、Ａ／Ｄ変換器１０４、ＴＧ（タイミングジェネレータ）１０５、制御部１０６、デジタル信号処理部１０７、メモリ１０８、圧縮伸張部１０９、ＬＣＤ１１０、記録部１１１、シャッターボタン１１２、操作スイッチ１１３及び顔抽出処理部１１４を備える。
【００１０】
レンズ１０１は詳しくはＡＦ（自動焦点調節）機構を備えたズームレンズ（焦点距離可変レンズ）であり、レンズ１０１のＡＦ機構及びズーム機構は図示せぬ駆動回路によって駆動される。なお、ズームレンズに代えて、ＡＦ機構のみを備えた焦点距離構成レンズを用いてもよい。
【００１１】
ＣＣＤ１０２は、マトリクス状またはハニカム状に配置された多数の受光素子を有する光センサで、レンズ１０１の焦点位置に相当するカメラ本体内部の位置に配置されている。
【００１２】
アナログ信号処理部１０３は、ＣＣＤ１０２から出力された画像信号に所定のアナログ処理を行い、画素ごとのＲ、Ｇ、Ｂ信号として出力する。アナログ信号処理部１０３は、内部にＣＤＳ（相関二重サンプリング）回路やＡＧＣ（オートゲインコントロール）回路などを有し、ＣＤＳ回路では画像信号のノイズ低減が、ＡＧＣ回路ではゲイン調整により各画像信号のレベル調整が行われる。
【００１３】
Ａ／Ｄ変換器３３は、アナログ信号処理部３２から順次加えられるＲ、Ｇ、Ｂ信号をデジタル形式のＲ、Ｇ、Ｂ信号に変換して出力する。
【００１４】
タイミングジェネレータ１０５は、ＣＣＤ１０２、アナログ信号処理部１０３、Ａ／Ｄ変換器１０４にタイミング信号を与え、このタイミング信号によって各回路の同期がとられている。
【００１５】
制御部１０６は、バスで接続する各部の動作を制御し、デジタルカメラの撮像動作に係わる統括制御を行う。また、シャッターボタン１１２やその他の操作スイッチ１１３からの入力に基づいて、ＡＦ（自動焦点調整）、ＡＥ（自動露出）、ＡＷ（オートホワイトバランス）等の制御を行う制御手段の役割を果たす。制御部１０６は、周辺構成とのデータの受け渡しやタイミング制御などの他に様々な機能をソフトウェア的に行う。
【００１６】
デジタル信号処理部１０７は、入力された画像データに対してホワイトバランス補正、ガンマ（γ）補正、輪郭補正、色補正、ＹＣ処理、等の各種処理を行う。デジタル信号処理部１０７で輝度信号（Ｙ信号）及び色差信号（Ｃｒ、Ｃｂ　信号）に変換された画像データは、バスを介して画像データ一時記憶用のメモリ１０８に格納される。ＹＣ信号は、圧縮伸張部１０９で所定のフォーマットに従って圧縮されたのち、記録部１１１を介してメモリカードなどの記録媒体に記録される。
【００１７】
メモリ１０８は、ＤＲＡＭ等で構成され、取得した画像データを一時記憶するバッファメモリとしての機能を果たす。各種処理を行うため、画像データはバスを介して接続する各部に読み出され、処理後再び書き込みが行われる。
【００１８】
圧縮伸張部１０９は、メモリ１０８に蓄積された画像データをＪＰＥＧ方式などの所定の圧縮方式で圧縮して記録部１１１に装填された記録媒体に記録したり、記録媒体から読み出された画像データを伸長したりする。圧縮伸張部１０９で圧縮処理を行う際の画像データは、輝度データＹと色差データＣｒ，Ｃｂとに変換されて（ＹＣ分離処理）、メモリ３７に格納されている。一方、記録媒体に記録されている画像データを再生表示する場合、ＹＣ分離により生成された輝度信号および色差信号がＲＧＢ信号に変換される。
【００１９】
ＬＣＤ１１０は画像表示用のディスプレイで、ＲＧＢ信号に基づいてＬＣＤドライバ（図示省略）により駆動される。メモリ１０８に一時記憶されている画像データは、所定の処理が行われた後ＬＣＤ１１０へ転送され、カラー画像が表示される。撮影時はＬＣＤをファインダーとして用いることにより、撮影範囲を正確に決定することができる。
【００２０】
記録部１１１は、取得した画像データと画像データごとのタグ情報をメモリカードなどの記録媒体に記録する。記録の具体的処理は、シャッターボタン１１２の押下により撮影（即ち、画像データの取得）が指示されると、上記の一連の画像処理完了後メモリ１０８に記憶された画像のサムネイル画像とＪＰＥＧ方式により圧縮された圧縮画像とが生成され、撮影画像に関するタグ情報とともに両画像が記録媒体に記録される。タグ情報には、後述する顔領域抽出処理により生成した人数情報及びコマ番号、露出値、シャッタースピード、圧縮率、撮影日、撮影時のフラッシュのオン／オフのデータ、シーン情報等の撮影情報が撮影画像ごとに含まれる。
【００２１】
なお、記録媒体は半導体記録メディア等のメモリカードに限定されるものではなく、ＤＶＤ−ＲＡＭ、ＤＶＤ−ＲＷ、ＣＤ−ＲＷ等の光記録媒体、フロッピーディスク等の磁気記録媒体、ＭＯ等の光磁気記録媒体等も用いることができ、また、外部記録媒体に限らずハードディスク等の内蔵記録媒体であってもよい。
【００２２】
図２は記録フォーマットの構成を示しており、ＷＢ補正値、カメラ固有値等の情報を記録するヘッダ領域、カメラの撮影モード情報を記録する撮影モード情報領域、サムレール画像を記録するサムネール画像領域、ＤＰＯＦデータを記録するＤＰＯＦ領域、圧縮画像を記録する記録データ領域からなる。ＤＰＯＦデータはタグ情報を参照して得られる顔領域抽出処理部１１４で生成した人数情報である。
【００２３】
顔領域抽出処理部１１４は、画像データから画像中に存在する人物の顔に相当する領域を抽出する顔抽出処理と、抽出した顔領域をカウントして画像に含まれる被写体の人数を示す人数情報を生成する顔カウント処理を行う。顔領域抽出処理は、デジタル信号処理部１０７の輪郭補正等の処理を経た画像データに対して行われる。顔領域の抽出方法は公知の技術（特開平９−１０１５７９号公報等）を用いることができる。
【００２４】
次に、図３に示すフローチャートを参照して本発明の実施の形態のデジタルカメラの動作について説明する。
【００２５】
デジタルカメラのモードスイッチでＤＰＯＦ自動設定撮影モードを選択すると、取得した画像データに顔領域抽出処理が行われ、タグ情報を参照して取得した人数情報をプリント枚数情報とするＤＰＯＦデータを画像フォーマットのＤＰＯＦデータ領域（図２参照）に自動的に書き込む設定となる（ステップＳ１０１）。
【００２６】
まず、デジタルカメラのシャッターボタンが押下されると、制御部１０６の指示により、ＡＥとＡＦで合焦点、適正露出に制御された撮像が実行され、所定の信号処理、画像処理が行われた画像データがメモリ１０８に格納される（ステップＳ１０２）。
【００２７】
次に、メモリ１０８に一時記憶された画像データが顔領域抽出処理部１１４内のメモリに転送され、顔領域抽出処理部１１４で顔領域抽出処理が行われる（ステップＳ１０３）。続いて、抽出した顔領域の数をカウントして画像データに関する人数情報を生成する（ステップＳ１０４）。さらに、人数情報をタグ情報として、その他の情報とともに記録媒体に記録される（ステップＳ１０５）。
【００２８】
ＤＰＯＦ自動設定撮影モードでは、タグ情報に記録された人数情報が、記録媒体のＤＰＯＦデータ領域に書き込まれるが、その際、人数情報が”０”であるかどうかを判定する（ステップＳ１０６）。人数情報が”０”である画像は、例えば風景など人物以外の被写体を撮影したものであることを示している。人数情報が”０”である場合はＤＰＯＦデータ領域に”１”を書き込む（ステップＳ１０７）。人数情報が”０”でない場合（即ち、人物が被写体である画像）、人数情報と同じ数字がそのままＤＯＰＦデータ領域に書き込まれる（ステップＳ１０８）。
【００２９】
以上の手順により、デジタルカメラは自動的にＤＰＯＦのプリント枚数を設定する。例えば、被写体４人を撮影すると、画像データ取得後の顔領域抽出処理で人数情報”４”が生成され、タグ情報として記録されると同時に、ＤＰＯＦデータ領域にも”４”（即ち、プリント枚数４枚）が書き込まれる。また、風景など人物が写っていない画像は、一律”１”（即ち、プリント枚数１枚）が設定される。なお、ＤＰＯＦ設定値はタグ情報として書き込まれた人数情報と同じである必要はなく、例えば、”人数情報＋１”や”人数情報×２”をＤＰＯＦ設定値として書き込むように任意に設定するようにしてもよい。また、人数情報が”０”の場合の設定も同様に任意に設定できる。
【００３０】
次に、図４に示すフローチャートを参照して自動的に設定されたＤＰＯＦのプリント枚数の確認、修正動作について説明する。
【００３１】
デジタルカメラのモードスイッチで再生表示モードを選択してＬＣＤにマルチ画面を表示すると、図５に示すように、ＬＣＤに複数のサムネイル画像が表示される（ステップＳ２０１）。
【００３２】
ＤＰＯＦ自動設定撮影モードで撮影を行っている場合、それぞれのサムネイル画像には顔領域抽出処理によりカウントされた人数情報が表示される。この状態で、デジタルカメラの十字キーを操作すると対象のサムネイル画像が選択でき、選択したサムネイル画像を確定するとサムネイル画像右上部の数字が点滅する（ステップＳ２０２）。この状態で、数字（即ち、プリント枚数）が変更できるので（ステップＳ２０３）、変更する場合は再び十字キーを操作して数字を設定し（ステップＳ２０４）、変更しない場合はそのまま確定する（ステップＳ２０５）。確定したプリント枚数は再度ＤＰＯＦ設定値として書き込まれる（ステップＳ２０６）。
【００３３】
なお、上記の実施形態ではマルチ画面での確認、修正について説明したが、１画面表示の再生モードでも同様の確認、修正が行える。
【００３４】
以上説明した実施の形態では、タグ情報に記録されている人数情報をプリント注文の際のＤＰＯＦデータとして利用する場合を説明したが、タグ情報に記録されている人数情報をプリント注文以外の用途に利用することもできる。
【００３５】
例えば、デジタルカメラで撮影した画像データは管理し易いように分類して保存することが多いが、その分類項目として、撮影時期やテーマ（イベント）などの他に、被写体（即ち、被写体が風景であるか人物であるか）で分類を行う場合も多く、この分類を容易に行いたいという要望がある。
【００３６】
この場合も、タグ情報に記録されている人数情報を参照して、人数情報が”０”であるか、または”０”以外であるかの判定結果を利用すれば、蓄積した画像データを被写体に応じて記録媒体内で分類することが可能である。具体的には、ファイルシステム上で、人物撮影用フォルダと風景撮影用フォルダなどとして扱うことができる。
【００３７】
以上説明した実施の形態では、デジタルカメラを例に説明したが、画像処理を行うアプリケーションを用いてプリント注文や画像データの分類を行ってもよい。また、プリント注文の際のプリント枚数設定に限らず、プリンタ出力の際の出力枚数設定を行うようにしてもよい。
【００３８】
【発明の効果】
以上説明したように、本発明によれば、顔領域抽出技術を利用して抽出した画像をもとに人数情報を画像ごとに保持することで、この人数情報をプリント注文の際の枚数情報として反映させることによりプリント注文の際の枚数指定の煩雑さを軽減することができる。
【図面の簡単な説明】
【図１】本発明の一実施の形態のデジタルカメラの構成を示す図。
【図２】記録フォーマットの構成を示す図。
【図３】デジタルカメラの動作の流れを示す図。
【図４】デジタルカメラにおけるＤＰＯＦ設定内容の確認及び修正の流れを示す図。
【図５】デジタルカメラのマルチ画面表示を示す図。
【符号の説明】
１０１　レンズ
１０２　ＣＣＤ
１０３　アナログ処理部
１０４　Ａ／Ｄ変換器
１０５　タイミングジェネレータ
１０６　制御部
１０７　デジタル信号処理部
１０８　メモリ
１０９　圧縮伸長部
１１０　ＬＣＤ
１１１　記録部
１１２　シャッターボタン
１１３　操作スイッチ
１１４　顔抽出処理部
【図１】
2004145563.tif 000003
【図２】
2004145563.tif 000004
【図３】
2004145563.tif 000005
【図４】
2004145563.tif 000006
【図５】
2004145563.tif 000007